(57)【要約】【課題】少ない工程で複数の画面表示を可能とすること。【解決手段】スマートフォン１は、表示部４と、ＳｏＣ２と、を備える。ＳｏＣ２は、目盛として、中心点を同じとする、同じ長さの線分を第１の色で円弧状に描画する。また、ＳｏＣ２は、現在の音量を示すボリュームバーを、第１の色と異なる第２の色で目盛上に描画する。また、ＳｏＣ２は、目盛、及び、ボリュームバーの一部を表示部４に表示する。スマートフォン１は、タッチパネル５１をさらに備える。ＳｏＣ２は、タッチパネルに５１より、タッチパネル５１へのタッチ動作、及び、スライド動作を受け付けた場合、タッチ位置から所定の中心点までの距離に応じて、音量の変化速度を変更する。【選択図】図４
2018097636.tif 000002
【特許請求の範囲】
【請求項１】
表示部と、
制御部と、を備え、
前記制御部は、
目盛として、中心点を同じとする、同じ長さの線分を第１の色で円弧状に描画し、
現在の数量を示す数量バーを、前記第１の色と異なる第２の色で前記目盛上に描画し、
前記目盛、及び、前記数量バーの一部を前記表示部に表示することを特徴とする数量表示装置。
【請求項２】
前記制御部は、
自装置の長手方向が、前記目盛の垂直方向と同一である場合、長手方向が、前記目盛の垂直方向と同一となるように、前記目盛、及び、前記数量バーの一部を前記表示部に表示することを特徴とする請求項１に記載の数量表示装置。
【請求項３】
前記制御部は、
自装置の長手方向が、前記目盛の水平方向と同一である場合、長手方向が、前記目盛の水平方向と同一となるように、前記目盛、及び、前記数量バーの一部を前記表示部に表示することを特徴とする請求項１又は２に記載の数量表示装置。
【請求項４】
前記制御部は、
現在の数量よりも小さい数量を示すバーを、前記第１の色、及び、前記第２の色とは異なる第３の色で、前記目盛の水平方向に対して前記数量バーよりも角度が小さい前記目盛上に描画することを特徴とする請求項１〜３のいずれか１項に記載の数量表示装置。
【請求項５】
前記制御部は、
前記目盛を第１層に描画し、
前記数量バー、及び、前記バーを前記第１層上の第２層に描画することを特徴とする請求項１〜４のいずれか１項に記載の数量表示装置。
【請求項６】
前記第１の色、前記第２の色、及び、前記第３の色は、濃度が異なっており、
前記第２の色、前記第３の色、前記第１の色の順に濃度が濃いことを特徴とする請求項１〜５のいずれか１項に記載の数量表示装置。
【請求項７】
前記数量は、音量であることを特徴とする請求項１〜６のいずれか１項であることを特徴とする数量表示装置。
【請求項８】
表示部と、
前記表示部上に設けられ、タッチ動作、及び、スライド動作を受け付けるためのタッチパネルと、
制御部と、を備え、
前記制御部は、
前記タッチパネルにより、前記タッチパネルへのタッチ動作、及び、スライド動作を受け付けた場合、タッチ位置から所定の中心点までの距離に応じて、数量の変化速度を変更することを特徴とする数量調整装置。
【請求項９】
前記制御部は、タッチ位置から前記所定の中心点までの距離が、所定の第１の距離未満である場合、数量の変化速度を遅くすることを特徴とする請求項８に記載の数量調整装置。
【請求項１０】
前記制御部は、タッチ位置から前記所定の中心点までの距離が、前記所定の第１の距離未満であり、且つ、タッチ位置からスライド動作の最終地点までの距離が、所定の第３の距離以上である場合、数量の変化速度を遅くすることを特徴とする請求項９に記載の数量調整装置。
【請求項１１】
前記制御部は、タッチ位置から前記所定の中心点までの距離が、前記所定の第１の距離よりも短い所定の第２の距離未満である場合、さらに、数量の変化速度を遅くすることを特徴とする請求項８に記載の数量調整装置。
【請求項１２】
前記制御部は、タッチ位置から前記所定の中心点までの距離が、前記第２の距離未満であり、且つ、タッチ位置からスライド動作の最終地点までの距離が、所定の第３の距離以上である場合、さらに、数量の変化速度を遅くすることを特徴とする請求項１１に記載の数量調整装置。
【請求項１３】
前記制御部は、
目盛として、中心点を同じとする、同じ長さの線分を第１の色で円弧状に描画し、
現在の数量を示す数量バーを、前記第１の色と異なる第２の色で前記目盛上に描画し、
前記目盛、及び、前記数量バーの一部を前記表示部に表示することを特徴とする請求項８に記載の数量調整装置。
【請求項１４】
前記数量は、音量であることを特徴とする請求項８〜１３のいずれか１項に記載の数量調整装置。
【請求項１５】
請求項１〜７のいずれか１項に記載の数量表示装置を備える音楽再生装置。
【請求項１６】
請求項８〜１４のいずれか１項に記載の数量調整装置を備える音楽再生装置。
【請求項１７】
表示部と、
制御部と、を備えるコンピュータの前記制御部に、
目盛として、中心点を同じとする、同じ長さの線分の第１の色での円弧状の描画、
現在の数量を示す数量バーの、前記第１の色と異なる第２の色での前記目盛上への描画、
前記目盛、及び、前記数量バーの一部の前記表示部への表示、を実行させるための数量表示プログラム。
【請求項１８】
表示部と、
前記表示部上に設けられ、タッチ動作、及び、スライド動作を受け付けるためのタッチパネルと、
制御部と、を備えるコンピュータの前記制御部に、
前記タッチパネルにより、前記タッチパネルへのタッチ動作、及び、スライド動作を受け付けた場合、タッチ位置から所定の中心点までの距離に応じた、数量の変化速度の変更、を実行させるための数量調整プログラム。
【発明の詳細な説明】
【技術分野】
【０００１】
本発明は、音量等の数量を表示する数量表示装置、音量等の数量を調整する数量調整装置、音楽再生装置、数量表示プログラム、及び、数量調整プログラムに関する。
【背景技術】
【０００２】
特許文献１には、タッチパネルにより摺動動作を検出し、検出した摺動動作に基づいて、音量を調整する音量調整装置（再生装置）が開示されている。特許文献１に開示の音量調整装置は、放射状に配置される複数本のバーを時計回り方向、及び、反時計回り方向の順に点灯、又は、消灯することで、音量を表示している。
【先行技術文献】
【特許文献】
【０００３】
【特許文献１】特許第４５１６３７１号公報
【発明の概要】
【発明が解決しようとする課題】
【０００４】
音楽再生プログラムにより、音楽を再生する音楽再生装置として機能するスマートフォン等は、長手方向を縦向きにした縦画面表示、長手方向を横向きにした横画面表示に対応している。従って、音量を表示する場合も、縦画面表示、横画面表示に応じた表示を行う必要がある。
【０００５】
本発明の目的は、少ない工程で複数の画面表示を可能とすることである。
【課題を解決するための手段】
【０００６】
第１の発明の数量表示装置は、表示部と、制御部と、を備え、前記制御部は、目盛として、中心点を同じとする、同じ長さの線分を第１の色で円弧状に描画し、現在の数量を示す数量バーを、前記第１の色と異なる第２の色で前記目盛上に描画し、前記目盛、及び、前記数量バーの一部を前記表示部に表示することを特徴とする。
【０００７】
本発明では、制御部は、目盛として、中心点を同じとする、同じ長さの線分を第１の色で円弧状に描画する。また、制御部は、現在の数量を示す数量バーを、第１の色と異なる第２の色で目盛上に描画する。ここで、目盛は、円弧上に描画されており、数量バーは、目盛上に描画されているため、数量表示装置の長手方向が、縦向きである場合は、縦画面の領域を表示部に表示し、また、数量表示装置の長手方向が、横向きである場合は、横画面の領域を表示部に表示すればよい。すなわち、制御部は、目盛、及び、数量バーの一部を表示部に表示するようになっている。従って、縦画面表示と横画面表示とで、表示の構成を変更する必要がない。このように、本発明によれば、複数の画面表示で表示の構成を共通としているため、少ない工程で複数の画面表示を行うことができる。
【０００８】
第２の発明の数量表示装置は、第１の発明の数量表示装置において、前記制御部は、自装置の長手方向が、前記目盛の垂直方向と同一である場合、長手方向が、前記目盛の垂直方向と同一となるように、前記目盛、及び、前記数量バーの一部を前記表示部に表示することを特徴とする。
【０００９】
第３の発明の数量表示装置は、第１又は第２の発明の数量表示装置において、前記制御部は、自装置の長手方向が、前記目盛の水平方向と同一である場合、長手方向が、前記目盛の水平方向と同一となるように、前記目盛、及び、前記数量バーの一部を前記表示部に表示することを特徴とする。
【００１０】
第４の発明の数量表示装置は、第１〜第３のいずれかの発明の数量表示装置において、前記制御部は、現在の数量よりも小さい数量を示すバーを、前記第１の色、及び、前記第２の色とは異なる第３の色で、前記目盛の水平方向に対して前記数量バーよりも角度が小さい前記目盛上に描画することを特徴とする。
【００１１】
第５の発明の数量表示装置は、第１〜第４のいずれかの発明の数量表示装置において、前記制御部は、前記目盛を第１層に描画し、前記数量バー、及び、前記バーを前記第１層上の第２層に描画することを特徴とする。
【００１２】
第６の発明の数量表示装置は、第１〜第５のいずれかの発明の数量表示装置において、前記第１の色、前記第２の色、及び、前記第３の色は、濃度が異なっており、前記第２の色、前記第３の色、前記第１の色の順に濃度が濃いことを特徴とする。
【００１３】
第７の発明の数量表示装置は、第１〜第６のいずれかの発明の数量表示装置において、前記数量は、音量であることを特徴とする。
【００１４】
第８の発明の数量調整装置は、表示部と、前記表示部上に設けられ、タッチ動作、及び、スライド動作を受け付けるためのタッチパネルと、制御部と、を備え、前記制御部は、前記タッチパネルにより、前記タッチパネルへのタッチ動作、及び、スライド動作を受け付けた場合、タッチ位置から所定の中心点までの距離に応じて、数量の変化速度を変更することを特徴とする。
【００１５】
本発明では、制御部は、タッチパネルにより、タッチパネルへのタッチ動作、及び、スライド動作を受け付けた場合、タッチ位置から所定の中心点までの距離に応じて、数量の変化速度を変更する。例えば、制御部は、タッチ位置から所定の中心点までの距離が、所定の距離よりも短い場合、すなわち、タッチ位置が所定の中心点に近い場合、数量の変化速度を遅くする。このため、スライド動作の移動距離が小さくても、数量が大きく変化することが防止される。
【００１６】
第９の発明の数量調整装置は、第８の発明の数量調整装置において、前記制御部は、タッチ位置から前記所定の中心点までの距離が、所定の第１の距離未満である場合、数量の変化速度を遅くすることを特徴とする。
【００１７】
第１０の発明の数量調整装置は、第９の発明の数量調整装置において、前記制御部は、タッチ位置から前記所定の中心点までの距離が、前記所定の第１の距離未満であり、且つ、タッチ位置からスライド動作の最終地点までの距離が、所定の第３の距離以上である場合、数量の変化速度を遅くすることを特徴とする。
【００１８】
本発明では、制御部は、タッチ位置から所定の中心点までの距離が、所定の第１の距離未満であり、且つ、タッチ位置からスライド動作の最終地点までの距離が、所定の第３の距離以上である場合、数量の変化速度を遅くする。従って、スライドの距離が、短ければ、数量は、大きく変化しないため、数量の変化速度は、遅くされない。
【００１９】
第１１の発明の数量調整装置は、第８の発明の数量調整装置において、前記制御部は、タッチ位置から前記所定の中心点までの距離が、前記所定の第１の距離よりも短い所定の第２の距離未満である場合、さらに、数量の変化速度を遅くすることを特徴とする。
【００２０】
第１２の発明の数量調整装置は、第１１の発明の数量調整装置において、前記制御部は、タッチ位置から前記所定の中心点までの距離が、前記第２の距離未満であり、且つ、タッチ位置からスライド動作の最終地点までの距離が、所定の第３の距離以上である場合、さらに、数量の変化速度を遅くすることを特徴とする。
【００２１】
第１３の発明の数量調整装置は、第８の発明の数量調整装置において、前記制御部は、目盛として、中心点を同じとする、同じ長さの線分を第１の色で円弧状に描画し、現在の数量を示す数量バーを、前記第１の色と異なる第２の色で前記目盛上に描画し、前記目盛、及び、前記数量バーの一部を前記表示部に表示することを特徴とする。
【００２２】
第１４の発明の数量調整装置は、第８〜第１３のいずれかの発明の数量調整装置において、前記数量は、音量であることを特徴とする。
【００２３】
第１５の発明の音楽再生装置は、第１〜第７のいずれかの発明の数量表示装置を備える。
【００２４】
第１６の発明の音楽再生装置は、第８〜第１４のいずれかの発明の数量調整装置を備える。
【００２５】
第１７の発明の数量表示プログラムは、表示部と、制御部と、を備えるコンピュータの前記制御部に、目盛として、中心点を同じとする、同じ長さの線分の第１の色での円弧状の描画、現在の数量を示す数量バーの、前記第１の色と異なる第２の色での前記目盛上への描画、前記目盛、及び、前記数量バーの一部の前記表示部への表示、を実行させるためのプログラムである。
【００２６】
第１８の発明の数量調整プログラムは、表示部と、前記表示部上に設けられ、タッチ動作、及び、スライド動作を受け付けるためのタッチパネルと、制御部と、を備えるコンピュータの前記制御部に、前記タッチパネルにより、前記タッチパネルへのタッチ動作、及び、スライド動作を受け付けた場合、タッチ位置から所定の中心点までの距離に応じた、数量の変化速度の変更、を実行させるためのプログラムである。
【発明の効果】
【００２７】
本発明によれば、複数の画面表示で表示の構成を共通としているため、少ない工程で複数の画面表示を行うことができる。
【図面の簡単な説明】
【００２８】
【図１】本発明の実施形態に係るスマートフォンの構成を示すブロック図である。
【図２】目盛を示す図である。
【図３】目盛、ボリュームバー、及び、バーを示す図である。
【図４】表示部に表示される目盛、ボリュームバー、及び、バーの一部を示す図である。
【図５】表示部に表示される目盛、ボリュームバー、及び、バーの一部を示す図である。
【図６】表示部に表示される目盛、ボリュームバー、及び、バーの一部を示す図である。
【図７】表示部に表示される目盛、ボリュームバー、及び、バーの一部を示す図である。
【図８】表示部に表示される目盛、ボリュームバー、及び、バーの一部を示す図である。
【図９】表示部に表示される目盛、ボリュームバー、及び、バーの一部を示す図である。
【図１０】表示部に表示される目盛、ボリュームバー、及び、バーの一部を示す図である。
【図１１】音量の変化速度を変更する領域を示す図である。
【図１２】音量値の決定の流れを示す図である。
【図１３】音量を変更する処理を示す図である。
【図１４】ボリュームバー上へのタッチ動作、及び、スライド動作を受け付けた場合の処理を示す図である。
【発明を実施するための形態】
【００２９】
以下、本発明の実施形態について説明する。図１は、本発明の実施形態に係るスマートフォンの構成を示すブロック図である。スマートフォン１は、記憶部３に記憶されている音楽再生プログラム（数量表示プログラム、数量調整プログラム）が実行されることにより、ヘッドホン１０１にアナログオーディオデータを出力する音楽再生装置として機能する。ヘッドホン１０１は、アナログオーディオデータに基づいて、音声を外部に出力する。また、スマートフォン１は、音量（数量）を表示する音量表示装置（数量表示装置）、音量（数量）を調整する音量調整装置（数量調整装置）として機能する。本実施形態では、スマートフォン１の音量表示機能、音量調整機能、音楽再生機能について説明し、通話機能等についての説明を省略する。
【００３０】
図１に示すように、スマートフォン１は、ＳｏＣ（System on Chip）２、記憶部３、表示部４、操作部５、Ｄ／Ａコンバーター（以下、「ＤＡＣ」という。）６、７、増幅器８、９、無線モジュール１０、ＵＳＢインターフェース（以下、「ＵＳＢ  Ｉ／Ｆ」という。）１１を備える。
【００３１】
ＳｏＣ２（制御部）は、ＣＰＵ（Central Processing Unit）、ＤＳＰ（Digital Signal Processor）、メモリ等を有し、ＤＡＰ１を構成する各部を制御する。記憶部３は、ＯＳプログラム、アプリケーションプログラム等のプログラム、デジタルオーディオデータ等の各種データを記憶するフラッシュメモリから構成されている。なお、記憶部３は、例示する構成に限られず、ＨＤＤ（Hard Disk Drive）等であってもよい。
【００３２】
表示部４は、種々の画像（静止画像、動画像を含む）を表示するものであり、液晶パネルにより構成されている。操作部５は、各種設定を行うための操作キー、及び、表示部４と連動したタッチパネル５１を備えている。タッチパネル５１は、表示部４上に設けられている。タッチパネル５１は、タッチ動作、及び、スライド動作を受け付けるためのものである。ユーザーは、操作部５を介して、各種の文字入力、設定などを行うことが可能である。
【００３３】
無線モジュール１０は、Ｂｌｕｅｔｏｏｔｈ（登録商標）規格、Ｗｉ−Ｆｉ規格に従った無線通信を行うためのものである。ＵＳＢ  Ｉ／Ｆ１１は、ＵＳＢ規格に従った通信を行うためのものである。
【００３４】
（音楽再生機能）
ＳｏＣ２は、Ｉ２Ｓ形式のデジタルオーディオデータをＤＡＣ６、７に出力する。ＤＡＣ６、７は、デジタルオーディオデータをアナログオーディオデータにＤ／Ａ変換する。増幅器８には、ＤＡＣ６からのアナログオーディオデータが入力される。増幅器９には、ＤＡＣ７からのアナログオーディオデータが入力される。増幅器８、９は、ＤＡＣ６、７がＤ／Ａ変換したアナログオーディオデータを増幅し、ヘッドホン１０１に出力する。
【００３５】
（音量表示機能）
ＳｏＣ２は、音量を表示するため、図２に示すように、目盛として、中心点を同じとする、同じ長さの線分を第１の色で円周状に、すなわち、３６０度にわたって描画する。図２においては、１．５度間隔で、２４０本の線分が描画されている。また、図３に示すように、ＳｏＣ２は、現在の音量（数量）を示すボリュームバー（数量バー）を、第１の色と異なる第２の色で第１の目盛上に描画する。また、ＳｏＣ２は、現在の音量よりも小さい音量を示すバーを、第１の色、及び、第２の色とは異なる第３の色で、目盛の水平方向に対してボリュームバーよりも角度が小さい目盛上に描画する。図３においては、ボリュームバーよりも角度が小さい目盛上に、３５本のバーが表示されている。
【００３６】
目盛を示す第１の色、ボリュームバーを示す第２の色、及び、バーを示す第３の色は、濃度が異なっている。第２の色、第３の色、第１の色の順に濃度が濃い。ＳｏＣ２は、目盛を第１層に描画する。また、ＳｏＣ２は、ボリュームバー、及び、バーを第１層上の第２層に描画する。
【００３７】
ＳｏＣ２は、図４、及び、図５に示すように、目盛、ボリュームバー、及び、バーの一部を表示部４に表示する。具体的には、ＳｏＣ２は、目盛の０度から９０度の範囲内にある、目盛、ボリュームバー、及び、バーを矩形状の表示部４に表示する。従って、目盛、ボリュームバー、及び、バーの一部が矩形状に切り取られて、表示部４に表示される。矩形状の表示部４に収まらない目盛、ボリュームバー、及び、バーの部分は、表示部４に表示されない。
【００３８】
ＳｏＣ２は、図４に示すように、スマートフォン１の長手方向が、目盛の垂直方向と同一である場合、長手方向が、目盛の垂直方向と同一となるように、目盛、ボリュームバー、及び、バーの一部を表示部４に表示する。すなわち、ＳｏＣ２は、スマートフォン１が縦向きである場合、目盛、ボリュームバー、及び、バーの一部を、縦画面表示する。また、ＳｏＣ２は、現在の音量を数値（図４では、「３５」）で表示部４に表示する。縦画面表示の場合、ＳｏＣ２は、表示部４の左上に現在の音量を数値で表示している。
【００３９】
ＳｏＣ２は、図５に示すように、スマートフォン１の長手方向が、目盛の水平方向と同一である場合、長手方向が、目盛の水平方向と同一となるように、目盛、ボリュームバー、及び、バーの一部を表示部４に表示する。すなわち、ＳｏＣ２は、スマートフォン１が横向きである場合、目盛、ボリュームバー、及び、バーの一部を、横画面表示する。横画面表示の場合、ＳｏＣ２は、表示部４の左下に現在の音量を数値で表示している。
【００４０】
このように、本実施形態では、表示の構成（目盛、ボリュームバー、及び、バー）は、縦画面表示、及び、横画面表示で共通である。そして、ＳｏＣ２は、縦画面表示と横画面表示とで表示する領域（矩形領域）を変更している。このように、縦画面表示と横画面表示とで表示の構成を共通としているため、表示の構成を変更する必要がなく、少ない工程で縦画面表示と横画面表示とを行うことが可能である。
【００４１】
（音量調整機能）
ＳｏＣ２は、タッチパネル５１により、タッチパネル５１へのタッチ動作、及び、スライド動作を受け付ける。ＳｏＣ２は、タッチパネル５１により、タッチパネルへのタッチ動作、及び、スライド動作を受け付けた場合、音量を変更する。ＳｏＣ２は、図６に示すように、ボリュームバー上へのタッチ動作、及び、上方向、右斜め上方向、時計回り方向（円弧状）、又は、右方向へのスライド動作を受け付けた場合、すなわち、上方向から右方向への範囲内のスライド動作を受け付けた場合、音量を上げる。このとき、ＳｏＣ２は、図７に示すように、ボリュームバーを現在の音量に相当する目盛上に描画する。従って、ボリュームバーは、目盛上を時計回り方向に移動する。また、ＳｏＣ２は、表示部４左上の現在の音量を示す数値を更新する（図７においては、「３９」。）
【００４２】
ＳｏＣ２は、図８に示すように、ボリュームバー上へのタッチ動作、及び、下方向、反時計回り方向（円弧状）、左斜め下方向、又は、左方向へのスライド動作を受け付けた場合、すなわち、左方向から下方向への範囲内のスライド動作を受け付けた場合、音量を下げる。このとき、ＳｏＣ２は、図９に示すように、ボリュームバーを現在の音量に相当する目盛上に描画する。従って、ボリュームバーは、目盛上を反時計回り方向に移動する。また、ＳｏＣ２は、表示部４左上の現在の音量を示す数値を更新する（図９においては、「２９」。）
【００４３】
ここで、図１０に示すように、ユーザーが、目盛の中心点に近い位置をタッチし、スライド動作をした場合、中心点に近いため、移動距離が小さくても、音量が大きく変化するという問題がある。そこで、本実施形態では、ＳｏＣ２は、タッチパネル５１により、タッチパネル５１へのタッチ動作、及び、スライド動作を受け付けた場合、タッチ位置から目盛の中心点（所定の中心点）までの距離に応じて、音量の変化速度を変更する。
【００４４】
ＳｏＣ２は、図１１に示すように、タッチ位置から目盛の中心点までの距離が、実線で示す円の半径（所定の第１距離）以上である場合、すなわち、実線で示す円外においてタッチ動作を受け付けた場合、スライド動作の速度に従って音量を変更する。一方で、ＳｏＣ２は、図１１に示すように、タッチ位置から目盛の中心点（所定の中心点）までの距離が、実線で示す円の半径（所定の第１距離）よりも短い場合、すなわち、実線で示す円内においてタッチ動作を受け付けた場合、音量の変化速度を遅くする。すなわち、ＳｏＣ２は、スライド動作の速度に従わず、音量を遅れて変化させる。このとき、ＳｏＣ２は、ボリュームバーを現在の音量に相当する目盛上に描画する。すなわち、ＳｏＣ２は、スライド動作の速度に従わず、ボリュームバーを遅れて変化させる。従って、ユーザーの指とボリュームバーとが離れ、指に遅れて、ボリュームバーが変化する。
【００４５】
また、ＳｏＣ２は、図１１に示すように、タッチ位置から目盛の中心点（所定の中心点）までの距離が、破線で示す円の半径（所定の第２距離）よりも短い場合、すなわち、破線で示す円内においてタッチ動作を受け付けた場合、さらに、音量の変化速度を遅くする。すなわち、ＳｏＣ２は、スライド動作の速度に従わず、さらに音量を遅れて変化させる。
【００４６】
図１２は、音量値の決定の流れを示す図である。ＳｏＣ２は、タッチ動作を受け付けたタッチパネル５１の座標位置から音量値を決定する。ＳｏＣ２は、決定した音量値を基に、適切なボリュームバーの描画を行う。また、ＳｏＣ２は、音量値を変更すると、描画更新イベントを発生することにより、描画を実行する。
【００４７】
上述したように、ＳｏＣ２は、図１１に示す実線で示す円外においてタッチ動作を受け付けた場合、スライド動作の速度に従って音量を変更する。図１３（ａ）に示すように、ＳｏＣ２は、音量の変化速度を変更せず、指定の値（３０→４０）に音量を変更する（通常時）。一方で、ＳｏＣ２は、図１１に示す実線の円内、又は、破線の円内においてタッチ動作を受け付けた場合、音量の変化速度を変更する。図１３（ｂ）に示すように、ＳｏＣ２は、すぐに音量を変化させず、徐々に音量を変更する（３０→３１→３２→・・・→３９→４０）ように調整する（調整時）。
【００４８】
ＳｏＣ２は、タッチパネル５１により、ボリュームバー上へのタッチ動作、及び、スライド動作を受け付けた場合、以下のとおり、描画更新を制御する。図１４に示すように、ＳｏＣ２は、タッチ位置と描画位置（スライド動作の最終地点）との距離がＸ未満である場合、停止状態とする。ＳｏＣ２は、タッチ位置と描画位置との距離がＸ以上となれば、停止状態から遷移状態に移行する。ＳｏＣ２は、タッチ位置と描画位置との距離がＸ以上である場合、遷移状態を維持する。ＳｏＣ２は、タッチ位置と描画位置との距離がＸ未満となれば、停止状態に移行する。
【００４９】
音量の変化速度の変更（調整）を行う条件は、以下のとおりである。ＳｏＣ２は、実線の円内においてタッチ動作を受け付け、且つ、タッチ位置と描画位置（スライド動作の最終地点）との距離がＸ（所定の第３距離）以上である場合、音量の変化速度の変更（調整）を行う。また、ＳｏＣ２は、破線の円内においてタッチ動作を受け付け、且つ、タッチ位置と描画位置（スライド動作の最終地点）との距離がＸ（所定の第３距離）以上である場合、音量の変化速度の変更（調整）を行う。
【００５０】
以上説明したように、本実施形態では、ＳｏＣ２は、目盛として、中心点を同じとする、同じ長さの線分を第１の色で円弧状に描画する。また、ＳｏＣ２は、現在の音量を示すボリュームバーを、第１の色と異なる第２の色で目盛上に描画する。ここで、目盛は、円弧上に描画されており、ボリュームバーは、目盛上に描画されているため、スマートフォン１の長手方向が、縦向きである場合は、縦画面の領域を表示部４に表示し、また、スマートフォン１の長手方向が、横向きである場合は、横画面の領域を表示部４に表示すればよい。すなわち、ＳｏＣ２は、目盛、及び、ボリュームバーの一部４を表示部に表示するようになっている。従って、縦画面表示と横画面表示とで、表示の構成を変更する必要がない。このように、本実施形態によれば、複数の画面表示で表示の構成を共通としているため、少ない工程で複数の画面表示を行うことができる。
【００５１】
また、本実施形態では、ＳｏＣ２は、タッチパネル５１により、タッチパネル５１へのタッチ動作、及び、スライド動作を受け付けた場合、タッチ位置から目盛の中心点（所定の中心点）までの距離に応じて、音量の変化速度を変更する。例えば、ＳｏＣ２は、タッチ位置から所定の中心点までの距離が、所定の距離よりも短い場合、すなわち、タッチ位置が所定の中心点に近い場合、音量の変化速度を遅くする。このため、スライド動作の移動距離が小さくても、音量が大きく変化することが防止される。
【００５２】
また、本実施形態では、ＳｏＣ２は、タッチ位置から目盛の中心点までの距離が、所定の距離未満であり、且つ、タッチ位置からスライド動作の最終地点までの距離が、所定の距離以上である場合、音量の変化速度を遅くする。従って、スライドの距離が、短ければ、音量は、大きく変化しないため、音量の変化速度は、遅くされない。
【００５３】
以上、本発明の実施形態について説明したが、本発明を適用可能な形態は、上述の実施形態には限られるものではなく、以下に例示するように、本発明の趣旨を逸脱しない範囲で適宜変更を加えることが可能である。
【００５４】
上述の実施形態においては、ＳｏＣ２は、目盛として、中心点を同じとする、同じ長さの線分を第１の色で円周状に、すなわち、３６０度にわたって描画するようになっている。これに限らず、ＳｏＣ２は、目盛として、中心点を同じとする、同じ長さの線分を第１の色で円弧状に、例えば、０度から９０度にわたって描画するようになっていてもよい。
【００５５】
上述の実施形態においては、第１の色、第２の色、及び、第３の色の濃度が異なっている。これに限らず、色が異なっていればよい。
【００５６】
上述の実施形態においては、数量として、音量を例示した。これに限らず、数量は、例えば、楽曲の早送り量、早戻し量等であってもよい。
【００５７】
上述の実施形態においては、スマートフォンを、音量表示装置、音量調整装置、及び、音楽再生装置として機能させた。これに限らず、デジタルオーディオプレーヤー（ＤＡＰ）、タブレットＰＣ、ＵＳＢ  ＤＡＣ等であってもよい。
【産業上の利用可能性】
【００５８】
本発明は、音量等の数量を表示する数量表示装置、音量等の数量を調整する数量調整装置、音楽再生装置、数量表示プログラム、及び、数量調整プログラムに好適に採用され得る。
【符号の説明】
【００５９】
１  スマートフォン（数量表示装置、数量調整装置、音楽再生装置）
２  ＳｏＣ（制御部）
４  表示部
５１  タッチパネル
６、７  ＤＡＣ
８  増幅器
９  増幅器
１０１  ヘッドホン
【図１】
2018097636.tif 000003
【図２】
2018097636.tif 000004
【図３】
2018097636.tif 000005
【図４】
2018097636.tif 000006
【図５】
2018097636.tif 000007
【図６】
2018097636.tif 000008
【図７】
2018097636.tif 000009
【図８】
2018097636.tif 000010
【図９】
2018097636.tif 000011
【図１０】
2018097636.tif 000012
【図１１】
2018097636.tif 000013
【図１２】
2018097636.tif 000014
【図１３】
2018097636.tif 000015
【図１４】
2018097636.tif 000016